(57)【要約】  磁石（２１）を内蔵したカプセル内視鏡（１）を収納する収容ケース（４０）であって、カプセル内視鏡（１）を位置決めするアウターケース（４１）の第１の保持部（４１ｇ）と、インナーケース（４２）の第２の保持部（４２ｆ）との間に収容されて位置決めされたカプセル内視鏡（１）の磁石（２１）から発生する磁界を一方の磁極から、他方の磁極へ導くように配置された磁性体（４４）とを設けたものである。これにより、カプセル型医療装置の取り扱いが容易で、カプセル型医療装置の収納性を高めることができるカプセル型医療装置用収納装置を提供する。
2007074883.tif 000002
【特許請求の範囲】
【請求項１】
磁石を内蔵した医療装置を収納する医療装置用収納装置であって、
前記医療装置を位置決めする位置決め手段と、
前記位置決め手段で位置決めされた前記医療装置の前記磁石から発生する磁界を一方の磁極から、他方の磁極へ導くように配置された磁性体と
を有する。
【請求項２】
請求項１の医療装置用収納装置であって、
前記磁性体は、薄膜に整形されている。
【請求項３】
請求項２の医療装置用収納装置であって、
前記薄膜は、樹脂材料に覆われている。
【請求項４】
請求項３の医療装置用収納装置であって、
前記樹脂材料は、接着部材が取り付けられ、前記医療装置または、前記医療装置用収納装置の少なくともいずれか一方に取り付けられる。
【請求項５】
請求項１の医療装置用収納装置であって、
前記磁性体は、前記磁石との間に働く引力により前記医療装置、または、医療装置用収納装置の少なくともいずれか一方に位置決めされる。
【請求項６】
請求項１の医療装置用収納装置であって、
前記医療装置は、カプセル型医療装置である。
【請求項７】
請求項６の医療装置用収納装置であって、
前記カプセル型医療装置は、カプセル内視鏡である。
【請求項８】
請求項１の医療装置用収納装置であって、
前記医療装置は、内視鏡である。
【請求項９】
請求項１の医療装置用収納装置であって、
前記医療装置は、カテーテルである。
【請求項１０】
請求項１の医療装置用収納装置であって、
前記医療装置は、内視鏡の先端に取り付ける器具である。
【請求項１１】
請求項１の医療装置用収納装置であって、
前記医療装置は、体腔内に溜置する器具である。
【請求項１２】
医療装置用収納装置であって、
磁石を内蔵した医療装置を収納する収納容器と、
前記収納容器内に前記医療装置を位置決めする位置決め手段と、
前記磁石の磁力の減少を防止する磁力減少防止手段、前記磁力減少防止手段は、前記収納用に位置決めされた状態で収納された前記医療装置の前記磁石と対応する位置に前記磁石から離れた状態で配置されている，と
を有する。
【請求項１３】
請求項１２に記載の医療装置用収納装置であって、
前記磁力減少防止手段は、前記収納容器に位置決め状態で収納された前記医療装置の前記磁石と対応する位置に前記磁石の周囲を囲む状態で配置され、前記磁石から発生する磁界を一方の磁極から、他方の磁極へ導くように配置された磁性体を有する。
【請求項１４】
請求項１３に記載の医療装置用収納装置であって、
前記磁性体は、Ｕ字状に形成されたＵ字部材で構成され、
前記収納容器は、前記磁石のそれぞれの磁極の近傍に前記Ｕ字部材が配置され、
前記磁力減少防止手段は、前記Ｕ字部材と前記磁石のそれぞれの磁極との間で磁気回路を形成することにより、前記磁石から前記収納容器の外部に漏れる磁界を減少させて前記磁石の磁力の減少を防止する。
【請求項１５】
請求項１３に記載の医療装置用収納装置であって、
前記医療装置は、カプセル型医療装置であり、
前記収納容器は、前記カプセル型医療装置の一部を保持する凹陥状の第１の保持部を有するアウターケースと、前記カプセル型医療装置の他の一部を保持する凹陥状の第２の保持部を有するインナーケースとを有し、
前記磁性体は、前記アウターケースの第１の保持部と、前記インナーケースの第２の保持部の少なくともいずれか一方の外側に装着されている。
【請求項１６】
請求項１３の医療装置用収納装置であって、
前記磁性体は、薄膜に整形されている。
【請求項１７】
請求項１６の医療装置用収納装置であって、
前記薄膜は、樹脂材料に覆われている。
【請求項１８】
請求項１７の医療装置用収納装置であって、
前記樹脂材料は、接着部材が取り付けられ、前記医療装置または、前記医療装置用収納装置の少なくともいずれか一方に取り付けられる。
【請求項１９】
請求項１３の医療装置収納装置であって、
前記磁性体は、前記磁石との間に働く引力により前記医療装置または、医療装置用収納装置の少なくともいずれか一方に位置決めされる。
【請求項２０】
請求項１２の医療装置収納装置であって、
前記医療装置は、カプセル型医療装置である。
【請求項２１】
請求項１２の医療装置収納装置であって、
前記医療装置は、内視鏡である。
【請求項２２】
請求項１２の医療装置収納装置であって、
前記医療装置は、カテーテルである。
【請求項２３】
請求項１２の医療装置収納装置であって、
前記医療装置は、内視鏡の先端に取り付ける器具である。
【請求項２４】
請求項１２の医療装置収納装置であって、
前記医療装置は、体腔内に溜置する器具である。
【請求項２５】
医療装置を収納する医療装置用収納装置であって、
前記医療装置を位置決めする位置決め装置と、
前記医療装置に作用するように前記医療装置用収納装置に取り付けられた磁石と、
前記医療装置用収納装置に前記医療装置の前記磁石と逆方向に配置された磁性体と、
を有する。
【請求項２６】
請求項２５の医療装置収納装置であって、
前記磁石は、前記医療装置の状態を変化させる。
【請求項２７】
医療装置の磁石を消磁する廃棄装置であって、
請求項１の医療装置用収納装置を収納する断熱容器と、
この断熱容器内の温度を少なくとも前記磁石の磁力をなくす、または大幅に減磁した状態のいずれか一方に変化させる温度まで加熱を行う加熱手段と、
を具備する。
【請求項２８】
請求項２７の廃棄装置であって、
前記加熱手段は、その加熱温度が、前記磁石のキューリー温度より高く、前記医療装置の構成物の耐熱温度より低い温度に設定されている。
【請求項２９】
医療装置の磁石を消磁する廃棄装置であって、
請求項１２の医療装置用収納装置を収納する断熱容器と、
この断熱容器内の温度を少なくとも前記磁石の磁力をなくす、または大幅に減磁した状態のいずれか一方に変化させる温度まで加熱を行う加熱手段と、
を具備する。
【請求項３０】
請求項２９の廃棄装置であって、
前記加熱手段は、その加熱温度が、前記磁石のキューリー温度より高く、前記医療装置の構成物の耐熱温度より低い温度に設定されている。
【請求項３１】
カプセル内視鏡の磁石を消磁する廃棄装置であって、
前記磁石を有する医療装置を収納する断熱容器と、
前記断熱容器内の温度を前記磁石の磁力をなくす、または大幅に減磁した状態に変化させる加熱温度まで加熱を行う加熱手段と
を具備する。
【請求項３２】
請求項３１の廃棄装置であって、
前記断熱容器は、複数の廃棄ケースを収納可能であり、
前記廃棄ケースは、前記医療装置を収納する。
【請求項３３】
請求項３１の廃棄装置であって、
前記加熱手段は、前記加熱温度が、前記磁石のキューリー温度より高く、前記医療装置の構成物の耐熱温度より低い温度である。
【請求項３４】
請求項３１の廃棄装置であって、
前記医療装置は、内視鏡である。
【請求項３５】
請求項３１の廃棄装置であって、
前記医療装置は、カテーテルである。
【請求項３６】
請求項３１の廃棄装置であって、
前記医療装置は、内視鏡の先端に取り付ける器具である。
【請求項３７】
請求項３１の廃棄装置であって、
前記医療装置は、体腔内に溜置する器具である。
【請求項３８】
医療装置の使用方法であって、
前記医療装置に設けられた磁石の一方の磁極から他方の磁極に磁力線を導く磁性体を、前記医療装置の近傍に維持するステップと、
前記磁性体と前記磁石の距離を広げるステップと、
前記医療装置を体腔内に挿入するステップとを具備する。
【請求項３９】
医療装置の使用方法であって、
前記医療装置に設けられた磁石の一方の磁極から他方の磁極に磁力線を導く磁気回路を形成する磁性体を、前記医療装置の近傍に維持するステップと、
前記磁気回路を切るステップと、
前記医療装置を体腔内に挿入するステップとを具備する。
【発明の詳細な説明】
【技術分野】
【０００１】
本発明は、磁石を内蔵した医療装置を収納する医療装置用収納装置と、廃棄装置と、医療装置の使用方法に関する。特に、磁石を内蔵したカプセル型医療装置を収納するカプセル型医療装置用収納装置に関する。
【背景技術】
【０００２】
一般に、被検体である被検者に飲み込まれて体内の管腔臓器、例えば食道、胃、小腸などの臓器の内部（体腔内）を観察（検査）するカプセル型内視鏡が知られている。特開２００４−２５５１７４号公報（特許文献１）には、磁界を発生する磁気誘導システムによって体内の所望の方向、位置にカプセル型内視鏡を誘導する磁気誘導式のカプセル型内視鏡が示されている。【０００３】
また、国際公開第０１／３５８１３号パンフレット（特許文献２）には、カプセル型内視鏡の駆動を制御するためのパッケージを設け、このパッケージにカプセル型内視鏡が収容された構成が示されている。カプセル型内視鏡内には外部磁場によってオン・オフするリードスイッチを備える。パッケージの内部には、この外部磁場を供給する永久磁石を含む。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の撮像機能による画像の撮像および無線機能による画像信号の送信が行われていた。
【発明の開示】
【０００４】
特許文献１のように磁気誘導に用いるカプセル内視鏡は、撮像機能と無線機能とが装備されるとともに、磁気誘導に用いる磁石を内蔵している。そのため、磁気誘導に用いるカプセル内視鏡を従来と同様のカプセル内視鏡用のパッケージに収納すると、磁気誘導に用いる磁石の磁界が外部に漏れてしまう可能性がある。この場合は、カプセル内視鏡が収納されたパッケージに金属物を吸い寄せることになるので、他の金属物と一緒に収納することが難しい。
【０００５】
さらに、複数の磁気誘導用カプセル内視鏡を並べて保存するとさらに強い力でカプセル同士に引力が作用してしまう。そのため、複数の磁気誘導用カプセル内視鏡を並べて保存することができず、収納性が悪い問題がある。
【０００６】
また、カプセル内視鏡用のパッケージにカプセル内視鏡を収納した状態で、長時間カプセル内視鏡を保存していると磁石の磁力が低下してしまう問題がある。さらに、カプセル内視鏡の廃棄時には、カプセル内視鏡の磁石の磁力によって他の金属物が吸着され、大きな塊となる可能性があり、取り扱いが難しい。
【０００７】
本発明は上記事情に着目してなされたもので、その目的は、カプセル型医療装置の取り扱いが容易で、カプセル型医療装置の収納性を高めることができるカプセル型医療装置用収納装置を提供することにある。
【０００８】
本発明の第１の局面における磁石を内蔵した医療装置を収納する医療装置用収納装置は、前記医療装置を位置決めする位置決め手段と、前記位置決め手段で位置決めされた前記医療装置の前記磁石から発生する磁界を一方の磁極から、他方の磁極へ導くように配置された磁性体とを有する。  
そして、上記構成では、磁石を内蔵した医療装置を収納する収納装置にカプセル型医療装置をセットした際に、位置決め手段によってカプセル型医療装置が所定のセット位置に位置決めされる。この状態で、カプセル型医療装置の磁石から発生する磁界をこのカプセル型医療装置の磁石の一方の磁極から、収納装置の磁性体を経て他方の磁極へ導くようにしたものである。
【０００９】
好ましくは、前記磁性体は、薄膜に整形されている。  
好ましくは、前記薄膜は、樹脂材料に覆われている。
【００１０】
好ましくは、前記樹脂材料は、接着部材が取り付けられ、前記医療装置または、前記医療装置用収納装置の少なくともいずれか一方に取り付けられる。
【００１１】
好ましくは、前記磁性体は、前記磁石との間に働く引力により前記医療装置、または、医療装置用収納装置の少なくともいずれか一方に位置決めされる。
【００１２】
好ましくは、前記医療装置は、カプセル型医療装置である。
【００１３】
好ましくは、前記カプセル型医療装置は、カプセル内視鏡である。
【００１４】
好ましくは、前記医療装置は、内視鏡である。
【００１５】
好ましくは、前記医療装置は、カテーテルである。
【００１６】
好ましくは、前記医療装置は、内視鏡の先端に取り付ける器具である。
【００１７】
好ましくは、前記医療装置は、体腔内に溜置する器具である。
【００１８】
本発明の第２の局面における医療装置用収納装置は、磁石を内蔵した医療装置を収納する収納容器と、前記収納容器内に前記医療装置を位置決めする位置決め手段と、前記磁石の磁力の減少を防止する磁力減少防止手段、前記磁力減少防止手段は、前記収納用に位置決めされた状態で収納された前記医療装置の前記磁石と対応する位置に前記磁石から離れた状態で配置されている，とを有する。
【００１９】
好ましくは、前記磁力減少防止手段は、前記収納容器に位置決め状態で収納された前記医療装置の前記磁石と対応する位置に前記磁石の周囲を囲む状態で配置され、前記磁石から発生する磁界を一方の磁極から、他方の磁極へ導くように配置された磁性体を有する。
【００２０】
好ましくは、前記磁性体は、Ｕ字状に形成されたＵ字部材で構成され、前記収納容器は、前記磁石のそれぞれの磁極の近傍に前記Ｕ字部材が配置され、前記磁力減少防止手段は、前記Ｕ字部材と前記磁石のそれぞれの磁極との間で磁気回路を形成することにより、前記磁石から前記収納容器の外部に漏れる磁界を減少させて前記磁石の磁力の減少を防止する。
【００２１】
好ましくは、前記医療装置は、カプセル型医療装置であり、前記収納容器は、前記カプセル型医療装置の一部を保持する凹陥状の第１の保持部を有するアウターケースと、前記カプセル型医療装置の他の一部を保持する凹陥状の第２の保持部を有するインナーケースとを有し、前記磁性体は、前記アウターケースの第１の保持部と、前記インナーケースの第２の保持部の少なくともいずれか一方の外側に装着されている。
【００２２】
好ましくは、前記磁性体は、薄膜に整形されている。
【００２３】
好ましくは、前記薄膜は、樹脂材料に覆われている。
【００２４】
好ましくは、前記樹脂材料は、接着部材が取り付けられ、前記医療装置または、前記医療装置用収納装置の少なくともいずれか一方に取り付けられる。
【００２５】
好ましくは、前記磁性体は、前記磁石との間に働く引力により前記医療装置または、医療装置用収納装置の少なくともいずれか一方に位置決めされる。
【００２６】
好ましくは、前記医療装置は、カプセル型医療装置である。
【００２７】
好ましくは、前記医療装置は、内視鏡である。
【００２８】
好ましくは、前記医療装置は、カテーテルである。
【００２９】
好ましくは、前記医療装置は、内視鏡の先端に取り付ける器具である。
【００３０】
好ましくは、前記医療装置は、体腔内に溜置する器具である。
【００３１】
本発明の第３の局面における医療装置を収納する医療装置用収納装置は、前記医療装置を位置決めする位置決め装置と、前記医療装置に作用するように前記医療装置用収納装置に取り付けられた磁石と、前記医療装置用収納装置に前記医療装置の前記磁石と逆方向に配置された磁性体と、を有する。
【００３２】
好ましくは、前記磁石は、前記医療装置の状態を変化させる。
【００３３】
本発明の第３の局面における医療装置の磁石を消磁する廃棄装置は、請求項１の医療装置用収納装置を収納する断熱容器と、この断熱容器内の温度を少なくとも前記磁石の磁力をなくす、または大幅に減磁した状態のいずれか一方に変化させる温度まで加熱を行う加熱手段と、を具備する。
【００３４】
好ましくは、前記加熱手段は、その加熱温度が、前記磁石のキューリー温度より高く、前記医療装置の構成物の耐熱温度より低い温度に設定されている。
【００３５】
本発明の第４の局面における医療装置の磁石を消磁する廃棄装置は、請求項１２の医療装置用収納装置を収納する断熱容器と、この断熱容器内の温度を少なくとも前記磁石の磁力をなくす、または大幅に減磁した状態のいずれか一方に変化させる温度まで加熱を行う加熱手段と、を具備する。
【００３６】
好ましくは、前記加熱手段は、その加熱温度が、前記磁石のキューリー温度より高く、前記医療装置の構成物の耐熱温度より低い温度に設定されている。
【００３７】
本発明の第５の局面におけるカプセル内視鏡の磁石を消磁する廃棄装置は、前記磁石を有する医療装置を収納する断熱容器と、前記断熱容器内の温度を前記磁石の磁力をなくす、または大幅に減磁した状態に変化させる加熱温度まで加熱を行う加熱手段とを具備する。
【００３８】
好ましくは、前記断熱容器は、複数の廃棄ケースを収納可能であり、前記廃棄ケースは、前記医療装置を収納する。
【００３９】
好ましくは、前記加熱手段は、前記加熱温度が、前記磁石のキューリー温度より高く、前記医療装置の構成物の耐熱温度より低い温度である。
【００４０】
好ましくは、前記医療装置は、内視鏡である。
【００４１】
好ましくは、前記医療装置は、カテーテルである。
【００４２】
好ましくは、前記医療装置は、内視鏡の先端に取り付ける器具である。
【００４３】
好ましくは、前記医療装置は、体腔内に溜置する器具である。
【００４４】
本発明の第５の局面における医療装置の使用方法は、前記医療装置に設けられた磁石の一方の磁極から他方の磁極に磁力線を導く磁性体を、前記医療装置の近傍に維持するステップと、前記磁性体と前記磁石の距離を広げるステップと、前記医療装置を体腔内に挿入するステップとを具備する。
【００４５】
本発明の第６の局面における医療装置の使用方法は、前記医療装置に設けられた磁石の一方の磁極から他方の磁極に磁力線を導く磁気回路を形成する磁性体を、前記医療装置の近傍に維持するステップと、前記磁気回路を切るステップと、前記医療装置を体腔内に挿入するステップとを具備する。
【図面の簡単な説明】
【００４６】
【図１】図１は、本発明の第１の実施の形態のカプセル内視鏡の収容ケースの構成を示す斜視図である。
【図２】図２は、第１の実施の形態のカプセル内視鏡の収容ケースから滅菌シートを取り除いた状態を示す斜視図である。
【図３】図３は、第１の実施の形態のカプセル内視鏡の収容ケースのアウターケースを示す平面図である。
【図４】図４は、第１の実施の形態のカプセル内視鏡の収容ケースのアウターケースを示す側面図である。
【図５】図５は、第１の実施の形態のカプセル内視鏡の収容ケースのインナーケースを示す平面図である。
【図６】図６は、第１の実施の形態のカプセル内視鏡の収容ケースのインナーケースを示す側面図である。
【図７】図７は、第１の実施の形態のカプセル内視鏡の収容ケースにカプセル内視鏡を収納した状態を示す縦断面図である。
【図８】図８は、第１の実施の形態のカプセル内視鏡を示す縦断面図である。
【図９】図９は、本発明の第２の実施の形態のカプセル内視鏡の収容ケースにカプセル内視鏡を収納した状態を示す縦断面図である。
【図１０】図１０は、第２の実施の形態のカプセル内視鏡の収容ケースに取り付けられた磁性体の取り付け状態を示す横断面図である。
【図１１】図１１は、第２の実施の形態のカプセル内視鏡の収容ケースに取り付けられた磁性体の変形例を示す横断面図である。
【図１２】図１２は、本発明の第３の実施の形態のカプセル内視鏡の収容ケースにカプセル内視鏡を収納した状態を示す縦断面図である。
【図１３】図１３は、第３の実施の形態のカプセル内視鏡を示す縦断面図である。
【図１４】図１４は、第３の実施の形態のカプセル内視鏡の収容ケースに取り付けられた磁性体の取り付け状態を示す横断面図である。
【図１５】図１５は、磁気誘導用カプセル内視鏡の廃棄装置の概略構成を示す縦断面図である。
【図１６】図１６は、磁石の加熱温度と、減磁率との関係を示す特性図である。
【発明を実施するための最良の形態】
【００４７】
以下、本発明の第１の実施の形態を図１乃至図８を参照して説明する。図１は、本実施の形態のカプセル型医療装置の収容ケース（収納装置）４０を示す。この収容ケース４０は、磁石を内蔵した磁気誘導式のカプセル型医療装置である飲み込み型のカプセル内視鏡１（図８参照）を収納する。【００４８】
カプセル内視鏡１は、図８に示すように構成されている。すなわち、カプセル内視鏡１は、外装ケースである密閉容器２を有する。この密閉容器２は、人が飲み込める程度の大きさのものであり、略半球状の先端カバー２ａと、筒形状の胴部カバー２ｂとを有する。先端カバー２ａと、胴部カバー２ｂとの間は弾性的に嵌合させて、内部を液密に封止して外装ケースを形成している。【００４９】
先端カバー２ａは、略半球状のドーム形状であって、ドームの後側が円形状に開口している。この先端カバー２ａは、透明性あるいは透光性を有する透明部材、たとえば光学的性能や強度を確保するのに好ましいシクロオレフィンポリマーあるいはポリカーボネイトなどの合成樹脂材料で成形されている。【００５０】
また、胴部カバー２ｂは、先端カバー２ａの後端に位置して、後述する照明手段、撮像手段および電池、無線送信手段などのカプセル内視鏡１の構成要素を覆う部材である。この胴部カバー２ｂは、円筒形状の胴部２ｂ１と、略半球状のドーム形状の後端部２ｂ２とを一体に形成し、この胴部２ｂ１の前側が円形状に開口している。この胴部カバー２ｂは、強度を確保するのに好ましいポリサルフォンなどの不透明な合成樹脂材料で形成されている。【００５１】
密閉容器２の内部には、先端カバー２ａとドーム状の後端部２ｂ２との間のほぼ中央位置に電池４が配設されている。この電池４よりも先端カバー２ａ側には、観察ユニット５、電池４よりもドーム状の後端部２ｂ２側には通信ユニット６がそれぞれ配設されている。【００５２】
観察ユニット５には、先端カバー２ａの内周面と離間対向する位置に支持部材７が配設されている。この支持部材７には、ほぼ中央位置に観察光学系のレンズ８、このレンズ８の周囲にたとえば体腔内の被検体部位を照明するための照明光を出射するＬＥＤなどの複数の発光素子９がそれぞれ配設されている。また、レンズ８の後方には照明光による反射光を受光して被検体部位を撮像するＣＣＤやＣＭＯＳなどの固体撮像素子１０（以下代表して、「ＣＣＤ１０」という）が配設されている。このＣＣＤ１０の後方には画像処理回路１１と電源回路１２とが配設されている。【００５３】
さらに、画像処理回路１１と電源回路１２とを埋設したモールド部材１３の外周面には密閉容器２の内径より僅かに小さい最大外形を持つコイル（磁気誘導コイル）１４が配置されている。このコイル１４の内側には外部からの磁界をコイル１４内に収束させる役割をもつ磁性体１５が配置されている。コイル１４にはコンデンサ１６が接続されており、共振回路が形成されている。磁性体１５は、飽和磁束密度、透磁率の共に高い素材、例えばアモルファス磁性体、ファインメッド（登録商標）などが適している。また、磁性体１５として薄膜に整形されている素材を用いると、カプセル内視鏡１内に配置する上で磁性体１５の体積を小さくすることができるという効果が得られる。コイル１４は、磁性体１５を持たない空芯コイルとしてもかまわない。【００５４】
また、通信ユニット６側にはドーム状の後端部２ｂ２の内周面と離間対向する位置にプリント基板１７が配設されている。このプリント基板１７の裏面には、ＣＣＤ１０で取得し、画像処理回路１１から出力された画像情報などをＲＦ信号に変調して送信するＲＦ送信回路１８が配設されている。【００５５】
さらに、プリント基板１７の表面には、送信回路１８に接続され、ＲＦ信号の電波を放出するアンテナ１９と、光スイッチ２０とが配設されている。アンテナ１９は、プリント基板１７のほぼ中央位置に配置されている。【００５６】
光スイッチ２０は、赤外線等に感度を有する。なお、密閉容器２の胴部カバー２ｂは、少なくともドーム状の後端部２ｂ２の光スイッチ２０の近傍部分が光スイッチ２０が感度を有する波長において赤外線を透過する素材で構成されている。そして、光スイッチ２０に図示しない赤外線発光装置から赤外線を照射すると、カプセル内視鏡１の画像処理回路１１に電池４から電源回路１２を介して通電が開始される。この光スイッチ２０は、トグル動作するように回路が構成されており、一度赤外線が照射されるとカプセル内視鏡１はＯＮ状態を維持するように構成されている。また、ＯＮ状態において再度赤外線が照射されるとＯＦＦするような構成を追加してもよい。【００５７】
また、カプセル内視鏡１への通電時には、発光素子９およびＣＣＤ１０が駆動される。そして、発光素子９により照明された体腔内の生体組織を先端カバー２ａの透明ドームを通しレンズ８によりＣＣＤ１０に結像させて取得する。さらに、取得した画像は、画像処理回路１１で適宜処理されて送信回路１８に送られアンテナ１９より送信される。【００５８】
また、電池４と送信回路１８に挟まれた部分には、磁気誘導に用いる円板状（コイン状、または円筒状）の磁石２１が配置されている。この磁石２１はカプセル内視鏡１の径方向に着磁されている。そして、この磁石２１は、カプセル内視鏡１の長軸方向と直交する方向に磁極を向けて配置されている。磁石２１の着磁方向と、送信回路１８に接続されたアンテナ１９の向きは、９０度の角度で配置されている。これは、磁石２１から発生する磁界が、アンテナ１９の位置においてアンテナ１９の向きと９０度ずれて入射する条件を成立するためである。これにより、磁石２１からの磁界によるアンテナ１９への影響を小さく抑えることができる。アンテナ１９の向きと磁石２１の着磁方向が９０度からわずかにずれて配置されたとしてもアンテナ１９への磁界の影響を抑制する効果はそれほど変化しない。【００５９】
また、磁石２１と送信回路１８との間にはシールド材２２が挿入されている。シールド材２２は磁性材料で構成されており、アンテナ１９の近傍の磁界を吸い寄せる効果を有する。これにより、アンテナ１９に入射される磁界の強度を軽減することができる。その結果、無線通信用の構成要素（送信回路１８、アンテナ１９）への磁界の影響を低く抑えることができ、安定した無線通信を実現することができる。なお、電池４は熱収縮チューブ２３によって押えられている。なお、磁石２１からの磁界によるアンテナ１９への影響を小さく抑えるために、磁石２１の磁極の向きとアンテナ１９の向きを約９０度とすることなどで、アンテナ１９への磁界の影響をすでに小さく抑えることができているのであれば（アンテナ１９からの送信強度が確保できているならば）、シールド２２は省略してもかまわない。【００６０】
また、本実施の形態のカプセル型医療装置収容ケース４０は、カプセル内視鏡１の使用前に、滅菌されてその滅菌状態を保つために使用されるものである。この収容ケース４０は、図１に示すようにカプセル内視鏡１を内部に収容可能な外部収容部からなるブリスターパックであるアウターケース４１と、中蓋部であるインナーケース４２と、滅菌シート４３とを備える。インナーケース４２は、図２に示すようにアウターケース４１内に備えられ、アウターケース４１との間でカプセル内視鏡１を保持する内部収容部となる。滅菌シート４３は、インナーケース４２と、アウターケース４１の上面に設けられて、アウターケース４１の開口を閉塞する。【００６１】
図３は、図２に示した収容ケース４０の上面、図４は、同じく収容ケース４０の側面、図７は、収容ケース４０の断面構造をそれぞれ示す。アウターケース４１は、図３および図４に示すように、円筒部４１ａと、この円筒部４１ａの開口上縁の一部に設けられた舌片形状の取手部４１ｂとを有する。円筒部４１ａの開口上縁および取手部４１ｂの外周には縁部４１ｃが設けられている。さらに、円筒部４１ａの周面には円筒部４１ａの内部から外部方向に突出した略半円柱形状の複数の突起部４１ｄが設けられている。【００６２】
この突起部４１ｄは、円筒部４１ａの長手方向に設けられた略半円柱形状の突起からなり、上端（円筒部４１ａの開口側）の径が最も大きく下端（底面４１ｅ側）にいくにしたがって径が徐々に小さくなるように構成され、かつ円筒部４１ａの長手方向に沿ってそれぞれが略等間隔に配置されている。【００６３】
また、収容ケース４０のアウターケース４１は、図７に示すように円筒部４１ａの開口上縁部から内側に向けて凹陥状に成形された有底円筒状のカプセル内視鏡支持台４１ｅが形成されている。このカプセル内視鏡支持台４１ｅの下端部には、上縁部と平行に屈曲され、円板形状に形成された中底部４１ｆが形成されている。この中底部４１ｆの中央部位にはさらにカプセル内視鏡１の一部を保持する凹陥状の第１の保持部（位置決め手段）４１ｇを有する。この第１の保持部４１ｇは、ほぼ半球状に成形されている。そして、この第１の保持部４１ｇ内にカプセル内視鏡１の胴部カバー２ｂを構成するドーム形状の後端部２ｂ２が挿入された状態で保持するようになっている。【００６４】
また、図５および図６は、インナーケース４２を示す。このインナーケース４２は、有底の円筒部４２ａと、この円筒部４２ａの開口上縁の一部に設けられた舌片形状の取手部４２ｂとを有する。円筒部４２ａの開口上縁には、取手部４２ｂと連なるように設けられた縁部４２ｃが設けられている。さらに、円筒部４２ａの周面には円筒部４２ａの内部から外部方向に突出した略半円柱形状の複数の突起部４２ｄが設けられている。【００６５】
この円筒部４２ａは、図７に示すように、底面４２ｅを有する。この底面４２ｅの中央部分には、カプセル内視鏡１を保持するための上向きの凹陥状の第２の保持部（位置決め手段）４２ｆが形成されている。この第２の保持部４２ｆは、ほぼ半球状に成形されている。この第２の保持部４２ｆの内径は、カプセル内視鏡１の外径より若干大きい内径で構成されている。この第２の保持部４２ｆの下端部の内周面には、内方向に向けて突出された複数、この実施の形態では４つの係止爪４２ｇが形成されている。そして、この第２の保持部４２ｆ内にカプセル内視鏡１のドーム形状の先端カバー２ａが挿入された際に、４つの係止爪４２ｇによって支持される状態で保持するようになっている。【００６６】
インナーケース４２の取手部４２ｂは、把持が容易なように、上面がアウターケース４１の取手部４１ｂより小型の略三角形状の板状部材からなる。そして、円筒部４２ａの開口上縁に設けられた縁部４２ｃと一体的に形成されている。この取手部４２ｂは、インナーケース４２がアウターケース４１内に収容された時に、アウターケース４１の取手部４１ｂと当接可能に構成されている。【００６７】
また、縁部４２ｃは、円筒部４２ａの開口上縁に設けられ、インナーケース４２がアウターケース４１内に収容された時に、アウターケース４１の開口上縁に当接可能に構成されている。さらに、これら取手部４２ｂおよび縁部４２ｃの厚みは、アウターケース４１の縁部４１ｃの厚み以下に構成されている。そして、このインナーケース４２がアウターケース４１内に収容された時に、縁部４１ｃの上面に滅菌シート４３が貼り付けられると、これら取手部４２ｂおよび縁部４２ｃを含むインナーケース４２全体が、アウターケース４１内に収容された状態になる。【００６８】
突起部４２ｄは、円筒部４２ａの長手方向に設けられた略半円柱形状の突起からなる。円筒部４２ａの長手方向に沿ってそれぞれが略等間隔に配置されている。この突起部４２ｄは、上端が開口し、下端が半ドーム形状の底面を形成している。なお、この実施の形態では、円筒部４２ａの周面に５つの突起部４２ｄがそれぞれ略等間隔に配置されている。これら突起部４２ｄは、インナーケース４２がアウターケース４１内に収容されて取手部４１ｂと４２ｂが当接した状態で、それぞれがアウターケース４１の突起部４１ｄと対向しない位置で、かつ突起部４２ｄの最突出部分が円筒部４１ａの内周面と接触可能に形成されて、アウターケース４１内でのインナーケース４２のガタツキを防止している。【００６９】
また、収容ケース４０内にカプセル内視鏡１を収容する場合には、図７に示すようにカプセル内視鏡１の先端カバー２ａが上向きの状態で、収容ケース４０内に収容される。このとき、アウターケース４１の第１の保持部４１ｇ内にカプセル内視鏡１の胴部カバー２ｂのドーム形状の後端部２ｂ２が挿入された状態で保持され、インナーケース４２の第２の保持部４２ｆ内にカプセル内視鏡１のドーム形状の先端カバー２ａが挿入された状態で保持される状態にセットされる。【００７０】
また、本実施の形態ではさらに、アウターケース４１の第１の保持部４１ｇの外周面にカプセル内視鏡１の磁石２１の磁力減少防止手段を形成する磁性体４４が接着されている。この磁性体４４は、Ｕ字状に成形されたＵ字部材で構成されている。この磁性体４４のＵ字部材のそれぞれの端部は、収容ケース４０内に収容されたカプセル内視鏡１の磁石２１のそれぞれの磁極の近傍になるように配置されている。そして、収容ケース４０内にカプセル内視鏡１が収容された状態では、磁性体４４のＵ字部材は、収容ケース４０に位置決め状態で収納されたカプセル内視鏡１の磁石２１と対応する位置に磁石２１から離れた状態で配置され、磁石２１と磁性体４４は図７中に点線で示すように磁石２１のＮ磁極と、Ｓ磁極とを結ぶように磁気回路４５を形成する。これにより、磁石２１から収容ケース４０の外部に漏れる磁界を大幅に減少させることができるとともに、磁石２１の磁力の減少を防止することができる。【００７１】
そこで、上記構成のものにあっては次の効果を奏する。すなわち、本実施の形態の磁気誘導式のカプセル内視鏡１の収容ケース４０では、アウターケース４１の第１の保持部４１ｇの外周面にカプセル内視鏡１の磁石２１の磁力減少防止手段を形成する磁性体４４を接着している。そして、カプセル内視鏡１の収容ケース４０内に磁石２１を内蔵したカプセル内視鏡１をセットした際に、アウターケース４１の第１の保持部４１ｇ内にカプセル内視鏡１の胴部カバー２ｂのドーム形状の後端部２ｂ２が挿入された状態で保持され、インナーケース４２の第２の保持部４２ｆ内にカプセル内視鏡１のドーム形状の先端カバー２ａが挿入された状態で保持される状態でセット位置に位置決めされるようにしている。これにより、収容ケース４０のセット位置に位置決め状態で収納されたカプセル内視鏡１の磁石２１と対応する位置に磁性体４４のＵ字部材を磁石２１から離れた状態で配置させ、磁性体４４のＵ字部材と磁石２１のそれぞれの磁極との間で磁気回路４５を形成することができる。そのため、カプセル内視鏡１の磁石２１から発生する磁界をこのカプセル内視鏡１の磁石２１の一方の磁極から、収容ケース４０内の磁性体４４のＵ字部材を経て他方の磁極へ導くことにより、磁石２１の磁場が収容ケース４０の外部に漏れる量を大幅に減少させることができる。その結果、収容ケース４０内に収納されたカプセル内視鏡１の磁石２１の磁力の減少を防止することができ、保存性のよいカプセル内視鏡１のパッケージを提供することができる。また、カプセル内視鏡１を収容ケース４０内で長時間、保存している場合でも磁石２１の磁力が低下してしまうことを防止することができる。【００７２】
さらに、本実施の形態の磁気誘導式のカプセル内視鏡１の収容ケース４０では、カプセル内視鏡１の磁石２１の磁場が収容ケース４０の外部に漏れる量を大幅に減少させることができるので、収容ケース４０の外部の金属物を収容ケース４０側に吸い寄せることを防止することができる。【００７３】
また、本実施の形態の収容ケース４０に収容した磁気誘導式のカプセル内視鏡１を複数並べて保存する場合であっても従来のように収容ケース４０の外部に漏れる磁石２１の磁場によってカプセル内視鏡１同士にさらに強い力で引力が作用してしまうことを防止できるので、収納性の向上を図ることができる。【００７４】
なお、上記のＵ字部材の磁性体４４は、アウターケース４１の半球状の第１の保持部４１ｇの部分を覆うキャップ状の形態をしていてもよい。この場合には、アウターケース４１越しに赤外線を照射してカプセル内視鏡１の光スイッチ２０を動作させることができない。そのため、Ｕ字部材の磁性体４４の例においては、カプセル内視鏡１を収容ケース４０に収納した状態でカプセル内視鏡１の光スイッチ２０を動作させることができるため操作性が優れているという効果がある。【００７５】
また、本実施例では、磁性体４４をアウターケース４１の第１の保持部４１ｇの外周面に接着したが、接着を省いてもかまわない。磁性体４４を接着しなかったとしても、磁性体４４は磁石２１との引力により磁場が外部にもれる量が小さくなる位置で静止する（磁気引力によりアウターケース４１に貼りつく）ことになる。この場合はカプセル内視鏡を固定する目的で、第１の保持部、第２の保持部は使用される。つまり第１の保持部、第２の保持部は固定手段として作用する。このように構成することで、カプセル内視鏡１をアウターケース４１およびインナーケース４２に収納する際の精度を低くすることができ収納作業を簡易にできる。さらに、磁性体４４を接着する手間を省くことができる。さらに、磁場が外部にもれる量を小さく抑える効果は同等である。【００７６】
また、図９および図１０は本発明の第２の実施の形態を示すものである。本実施の形態は第１の実施の形態（図１乃至図８参照）のアウターケース４１の磁性体４４の構成を次の通り変更したものである。【００７７】
すなわち、本実施の形態では、アウターケース４１のＵ字部材の磁性体４４に代えて図９および図１０に示すように円筒形状をしている磁性体５１をアウターケース４１の半球状の第１の保持部４１ｇに被せる構成にしたものである。この場合、円筒形状の磁性体５１は、カプセル内視鏡１の磁石２１に対して、磁石２１の磁極方向の長さよりも長い、円筒の長さを持つ形状に設定されている。そして、本実施の形態でも、第１の実施の形態と同様の効果が得られる。【００７８】
また、図１１は、第２の実施の形態のカプセル内視鏡１の収容ケース４０に取り付けられた磁性体５１の変形例を示す。本変形例は、円筒形状の磁性体５１に代えて図１１に示すようにほぼＵ字形状をしている磁性体５２をアウターケース４１の半球状の第１の保持部４１ｇに被せる構成にしたものである。【００７９】
そして、本変形例では、収容ケース４０のセット位置に位置決め状態で収納されたカプセル内視鏡１の磁石２１と対応する位置に磁性体５２のＵ字部材を磁石２１から離れた状態で配置させ、磁性体５２のＵ字部材と磁石２１のそれぞれの磁極との間で磁気回路４５を形成することができるようにしている。そのため、本変形例でも、第１の実施の形態と同様の効果が得られる。【００８０】
また、図１２乃至図１４は本発明の第３の実施の形態を示すものである。本実施の形態は第１の実施の形態（図１乃至図８参照）のカプセル内視鏡１に代えて異なる構成のカプセル内視鏡６１を設け、このカプセル内視鏡６１用の収容ケース６２を設けたものである。なお、これ以外の部分は第１の実施の形態と同一構成になっており、第１の実施の形態と同一部分には同一の符号を付してここではその説明を省略する。【００８１】
すなわち、本実施の形態のカプセル内視鏡６１では、カプセル内視鏡６１の磁気誘導に用いる磁石として図１４に示すように円筒状の磁石３５が設けられている。この磁石３５は、カプセル内視鏡６１の画像処理回路１１と電源回路１２とをモールド成形したモールド部材１３の外周面に装着されている。この磁石３５は、図１３に示すようにカプセル内視鏡６１の長軸方向に磁極を向けて配置されている。【００８２】
さらに、本実施の形態のカプセル内視鏡６１では、第１の実施の形態のカプセル内視鏡１の位置検出用のコイル１４に代えて２つのコイル３１，３２が設けられている。これら２つのコイル３１，３２は、電池４と送信回路１８に挟まれた部分に配設されている。ここで、２つのコイル３１，３２は、ほぼ直交状態に配置されている。なお、２つのコイル３１，３２間は、必ずしも９０°で交差している必要はなく、適宜の角度で交差していれば良い。なお、２つのコイル３１，３２にはコンデンサ３２，３３が接続されており、それぞれ共振回路が形成されている。【００８３】
また、本実施の形態の収容ケース６２には、図１４に示すようにインナーケース４２の第２の保持部４２ｆの外周面に円筒形状の磁性体６３が配設されている。この磁性体６３は、図１２に示すようにカプセル内視鏡６１の磁石３５に対して、磁石６１の磁極方向の長さよりも長い、円筒の長さを持つように設定されている。【００８４】
そこで、上記構成のものにあっては次の効果を奏する。すなわち、本実施の形態では、カプセル内視鏡６１のパッケージである収容ケース６２のインナーケース４２の外側に円筒形状の磁性体６３を配置している。収容ケース６２のインナーケース４２の内側にはカプセル内視鏡６１が収納されている。そして、収容ケース６２のインナーケース４２の第２の保持部４２ｆの外周面に円筒形状の磁性体６３を配設している。このように構成することで、磁性体６３と磁石３５により磁石３５のＮ磁極と、Ｓ磁極とを結ぶように磁気回路が形成され、磁石３５の磁界が外部に漏れる量を大幅に減少できると共に、磁石３５の磁力の減少を防止することができる。これにより、カプセル内視鏡６１の収容ケース６２のパッケージの小型化、運搬性の向上を達成することができる。【００８５】
なお、磁性体６３には、例えば両面粘着テープが貼られており、磁性体６３がカプセル内視鏡６１に貼られている構成にしても良い。この場合には、カプセル内視鏡６１の使用前に磁性体６３をはがして使用する。【００８６】
なお、磁性体６３に両面粘着テープ（接着部材）を貼らずに磁性体３５と磁性体６３の間に働く引力を利用してカプセル医療装置６１に貼りつける構成にしてもよい。この場合も同様にカプセル内視鏡６１の使用前に磁性体６３をはがして使用する。磁性体６３には樹脂材料をコーティングしてもよい。また、磁性体６３を樹脂フィルム（樹脂材料）で挟み込む（ラミネートする）または覆われる構成にしても構わない。【００８７】
また、図１５は、磁気誘導用のカプセル内視鏡１の磁石２１を消磁してから廃棄する廃棄装置７１を示す。この廃棄装置７１の内部には複数、ここでは３つの廃棄用ケース７２が収納されている。【００８８】
廃棄用ケース７２は、使用済みのカプセル内視鏡１を収容する有底円筒状のケース本体７２ａと、このケース本体７２ａの上面開口部を閉塞する蓋体７２ｂとを有する。そして、体腔内から取り出されたカプセル内視鏡１は、洗浄しない状態で廃棄用ケース７２に収納される。【００８９】
また、廃棄装置７１には、断熱容器７３が設けられている。この断熱容器７３には、上面が開口された容器本体７４と、この容器本体７４の上面開口部を閉塞する蓋体７５とを有する。さらに、容器本体７４は、内部容器であるステンレス容器７６と、断熱層７７と、外部容器である外装部材７８との３層構造になっている。同様に、蓋体７５は、内蓋であるステンレス蓋７９と、断熱層８０と、外蓋である外装部材８１との３層構造になっている。【００９０】
蓋体７５の一端部はヒンジ部８２を介して断熱容器７３の一端部に回動可能に連結されている。これにより、断熱容器７３の上面開口部がヒンジ部８２を中心とする蓋体７５の回動動作によって開閉されるようになっている。また、蓋体７５の他端部はロック装置８３を介して断熱容器７３の他端部に係脱可能に係止されるようになっている。そして、蓋体７５が断熱容器７３の上面開口部を気密に閉塞する位置に移動された状態で、ロック装置８３によって蓋体７５が断熱容器７３に固定されるようになっている。【００９１】
また、断熱容器７３のステンレス容器７６と、断熱層７７との間には、断熱容器７３の内部から隔離された第１の隔離室８８が形成されている。さらに、断熱層７７と外装部材７８との間には、隔離された第２の隔離室８９が形成されている。そして、第１の隔離室８８内にはステンレス容器７６の底面に固定されたヒーター８４と、複数の温度センサ８５とが配設されている。【００９２】
さらに、第２の隔離室８９には、廃棄装置７１の制御装置８６が配設されている。この制御装置８６には、ヒーター８４と、複数の温度センサ８５とが接続されている。また、蓋体７５の表面には廃棄装置７１のスイッチ８７が取付けられている。このスイッチ８７は制御装置８６に接続されている。【００９３】
次に、上記構成の廃棄装置７１の作用について説明する。上記構成の廃棄装置７１の断熱容器７３は、一度に複数の廃棄用ケース７２を入れることができる大きさを持っており一度に複数のカプセル内視鏡１の廃棄処理を行うことができる。【００９４】
そして、この廃棄装置７１の使用時には、断熱容器７３内に複数の廃棄用ケース７２が収納される。ここで、カプセル内視鏡１が納められた廃棄用ケース７２を廃棄装置７１に収納した状態で蓋体７５が閉じられ、蓋体７５が断熱容器７３に固定された状態で、ロック装置８３によって蓋体７５がロックされる。【００９５】
この状態で、スイッチ８７を動作させると制御装置８６がヒーター８４を動作させ、ステンレス容器７６内を加熱する。ここで、ステンレス容器７６内の温度は温度センサ８５で監視され、制御装置８６により温度コントロールされる。例えば、ここで、断熱容器７３内の温度は、たとえば１５０度にコントロールされる。このとき、カプセル内視鏡１の磁石２１は、図１６の温度特性図に示すように１００℃付近から減磁され始め、ほぼ１５０℃になるとほぼ減磁される。【００９６】
そして、一定時間、ステンレス容器７６内の温度を高温に保った後、制御装置８６はヒーター８４による加熱を停止する。この状態においては、制御装置８６は蓋体７５のロック装置８３を外からの操作で開かないようにロック装置８３を制御する。【００９７】
その後、温度センサ８５によりステンレス容器７６内の温度を監視し、たとえば４０℃程度の温度に低下した状態を確認した後、制御装置８６は蓋体７５のロック装置８３を解除する。これにより、操作者がふたを開けられる状態にする。この状態で、操作者は蓋体７５を開け、カプセル内視鏡１をステンレス容器７６からとりだし、廃棄する。【００９８】
そこで、上記構成の廃棄装置７１では次の効果を奏する。すなわち、使用済みのカプセル内視鏡１を廃棄用ケース７２に収納させ、廃棄装置７１に収納した状態で、上記ステンレス容器７６内の温度を１５０℃程度の高温に保つ加熱処理を行うことにより、カプセル内視鏡１の磁石２１の磁力をなくす、または大幅に減磁した状態で廃棄できる。そのため、磁気誘導用のカプセル内視鏡１の磁石２１の磁力によって金属物を吸い寄せてしまい廃棄しにくくなることがないので、カプセル内視鏡１の廃棄性が向上する。【００９９】
また、本実施例では加熱温度を１５０度程度としたが、これは磁石２１の温度特性や、カプセル内視鏡１の外装や構造物の温度特性によって決定することができる。より具体的には、磁石２１の材質としてキューリー温度がカプセル内視鏡１の外装や構造物の耐熱温度より低いものを使用する。カプセル内視鏡１の外装や構造物の耐熱温度とは例えば外装の樹脂材料が軟化しない温度とする。このような条件を満たすように設計されたカプセル内視鏡１に設けられた磁石２１の廃棄を行う作業として、廃棄装置による加熱をおこなう。このときの加熱温度を、磁石２１のキューリー温度より高く、カプセル内視鏡の外装や構造物の耐熱温度より低く設定する。このようにすることで、磁石２１の消磁を行うとともに、カプセル内視鏡１の形状には変化がない状態を維持できる。このことによりより廃棄を容易に行うことができる。また、実施例で示した廃棄容器は、先の実施例で示した医療装置用収納装置を使用することもできる。【０１００】
なお、本発明の実施例の説明はカプセル内視鏡を用いてきたがこれに限定されるものではなく、例えば、磁石を内蔵した内視鏡装置や、磁石を内蔵したカテーテルにも応用可能である。内視鏡装置用ケースの内視鏡挿入部の磁石の内蔵された部分が収納される部分近傍に磁性体を配置しておけば、磁石を内蔵した内視鏡装置においても磁石から空間への磁界の放射を小さく抑えることができ同様の効果を得ることができる。【０１０１】
また、内視鏡装置の挿入部の磁石が内蔵された部分の近傍の外表面に磁性体を貼りつける構成としてもかまわない。この場合は、内視鏡装置から磁性体をはがして使用する。この場合も、磁石から空間への磁界の放射を小さく抑えることができるとともに磁石の磁力の減少も抑えることができるという同様の効果を得ることができる。【０１０２】
また、磁石を内蔵したカテーテルおいても、カテーテルを収納する収納装置のカテーテルの体内に挿入される挿入部で磁石が配置された部分を収める部分近傍に磁性体が配置される構成にすればよい。この場合も、磁石から空間への磁界の放射を小さく抑えることができるとともに磁石の磁力の減少も抑えることができるという同様の効果を得ることができる。【０１０３】
また、カテーテルの体内に挿入される挿入部で磁石が配置された部分近傍に磁性体を貼り付ける構成にしてもかまわない。この場合も、磁石から空間への磁界の放射を小さく抑えることができるとともに磁石の磁力の減少も抑えることができるという同様の効果を得ることができる。【０１０４】
さらに、内視鏡先端にとりつける磁石を内蔵した器具の収納装置へも応用できる。この場合は、第１実施例から第３実施例のカプセル内視鏡１の代わりに内視鏡先端にとりつける磁石を内蔵した器具を収納するように構成すればよい。この場合も、磁石から空間への磁界の放射を小さく抑えることができるとともに磁石の磁力の減少も抑えることができるという同様の効果を得ることができる。【０１０５】
さらには、体腔内例えば胃や腸の組織に溜置する磁石で構成された器具または、磁石を内蔵した器具の収納装置へも応用できる。この器具は、溜置された後、体外からの磁界により溜置した組織を牽引することができ、牽引した状態で内視鏡的処置ができるものである。この場合は、第１実施例から第３実施例のカプセル内視鏡１の代わりに内視鏡先端にとりつける磁石を内蔵した器具を収納するように構成すればよい。この場合も、磁石から空間への磁界の放射を小さく抑えることができるとともに磁石の磁力の減少も抑えることができるという同様の効果を得ることができる。【０１０６】
さらに、廃棄装置においても、カプセル内視鏡だけでなく、カテーテル、内視鏡先端にとりつける磁石を内蔵した器具、体腔内、例えば胃や腸の組織に溜置する磁石で構成された器具、または、磁石を内蔵した器具の廃棄装置へも応用できる。この場合、医療装置（カテーテル、内視鏡先端にとりつける磁石を内蔵した器具、体腔内、例えば胃や腸の組織に溜置する磁石で構成された器具、または、磁石を内蔵した器具等）の磁石を消磁することができ医療装置の廃棄を容易に行うことができる。【０１０７】
また、医療装置に磁石が配置されたものだけではなく、医療装置用収納装置に磁石が取り付けられたものについてもその磁石近傍に磁性体を配置することで、磁石から発生する磁界の広がりを押さえることができるという効果を得ることができる。これは具体的には、磁石が医療装置近傍にある状態と、無い状態で医療装置の動作モードに変化が生じる医療装置の医療装置用収納部に適用することができる。この場合、磁石に対して、医療装置と反対側磁性体を設ければよい。磁石から発生する磁力はカプセル側には放出されカプセルの動作モードを磁石が近傍にある状態に維持することができる。この状態で磁石の医療装置と反対側は磁性体が存在するために磁石からの磁力線が磁性体内を貫くため磁石が外部に漏れにくい構成を実現することができる。【０１０８】
さらに、本発明は上記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  磁石を内蔵したカプセル型医療装置の収納装置であって、前記カプセル型医療装置を位置決めする位置決め手段と、前記位置決め手段で位置決めされたカプセル内視鏡の磁石から発生する磁界を一方の磁極から、他方の磁極へ導くように配置された磁性体とを有するカプセル型医療装置用収納装置。【０１０９】
（付記項２）  磁石を有するカプセル内視鏡を収容する複数の廃棄用ケースを収納する断熱容器と、この断熱容器内の温度を前記磁石の磁力をなくす、または大幅に減磁した状態に変化させる加熱処理を行う加熱手段とを具備し、前記カプセル内視鏡の磁石を消磁してから廃棄することを特徴とする廃棄装置。
【産業上の利用可能性】
【０１１０】
本発明は、磁気誘導式のカプセル型内視鏡を収納するカプセル型医療装置用収納装置の技術分野や、そのカプセル型医療装置用収納装置を製造する技術分野に有効である。
【図１】
2007074883.tif 000003
【図２】
2007074883.tif 000004
【図３】
2007074883.tif 000005
【図４】
2007074883.tif 000006
【図５】
2007074883.tif 000007
【図６】
2007074883.tif 000008
【図７】
2007074883.tif 000009
【図８】
2007074883.tif 000010
【図９】
2007074883.tif 000011
【図１０】
2007074883.tif 000012
【図１１】
2007074883.tif 000013
【図１２】
2007074883.tif 000014
【図１３】
2007074883.tif 000015
【図１４】
2007074883.tif 000016
【図１５】
2007074883.tif 000017
【図１６】
2007074883.tif 000018
【国際調査報告】
2007074883.tif 000019
2007074883.tif 000020
2007074883.tif 000021
2007074883.tif 000022
2007074883.tif 000023
2007074883.tif 000024